(57)【要約】【課題】軽量かつ丈夫であり、外観が美しく、加工性にも優れる展示用のボードを提供すること。【解決手段】紙製の芯材１１に平板状の紙製の面材１２が積層されてなる紙製のボードであって、前記芯材１１は、波の山に沿う方向がボードの面方向に直交するように面方向に並べられた複数の波状の部材１１１を有し、少なくとも前記紙製の芯材１１の全部および紙製の面材１２の表面１２ｓが同じ色（例えば白）である展示用紙製ボード１とした。【選択図】図１
0003176085.tif 000002
【実用新案登録請求の範囲】
【請求項１】
紙製の芯材に平板状の紙製の面材が積層されてなる紙製のボードであって、
前記芯材は、波の山に沿う方向がボードの面方向に直交するように面方向に並べられた複数の波状の部材を有し、
少なくとも前記紙製の芯材の全部および紙製の面材の表面が同じ色であることを特徴とする展示用紙製ボード。
【請求項２】
前記紙製の面材の裏面が前記紙製の芯材の全部および紙製の面材の表面と同じ色であることを特徴とする請求項１に記載の展示用紙製ボード。
【考案の詳細な説明】
【技術分野】
【０００１】
本考案は、展示物を支持する台としてやそれ自体を展示物として形作ることのできる展示用紙製ボードに関する。
【背景技術】
【０００２】
写真や絵などの展示物を支持するボード（パネル）が周知である（例えば、下記特許文献１参照）。
【先行技術文献】
【特許文献】
【０００３】
【特許文献１】特開２０１１−９８１３１号公報
【考案の概要】
【考案が解決しようとする課題】
【０００４】
このような展示用ボードは、木製や合成樹脂製のものが一般的であるが、ボードが重く会場設営時などの負担が大きい。また、ボード自体があまり綺麗ではないといった外観上の問題や、用途等に応じてボードを任意の大きさにすることができないといった加工性の問題もある。
【０００５】
本考案が解決しようとする課題は、軽量かつ丈夫であり、外観が美しく、加工性にも優れる展示用のボードを提供することにある。
【課題を解決するための手段】
【０００６】
上記課題を解決するために本考案にかかる展示用紙製ボードは、紙製の芯材に平板状の紙製の面材が積層されてなる紙製のボードであって、前記芯材は、波の山に沿う方向がボードの面方向に直交するように面方向に並べられた複数の波状の部材を有し、少なくとも前記紙製の芯材の全部および紙製の面材の表面が同じ色であることを要旨とする。
【０００７】
この場合、前記紙製の面材の裏面が前記紙製の芯材の全部および紙製の面材の表面と同じ色であればよい。
【考案の効果】
【０００８】
本考案では、ボードが紙製であるため、軽量であるし、容易に任意の形状にすることができる。また、芯材は、波の山に沿う方向がボードの面方向に直交するように波状の部材が並べられてなるものであるため、優れた機械的強度を有する。特に、面方向に直交する方向からの耐荷重性に優れる。さらに、面材の表面、すなわちボードの表面（厚み方向における一方側の面および他方側の面）と、芯材が同じ色であるため、ボード端面（切断面）を含む全体の外観が同じ色となる。つまり、ボードをどのような形状としても、全体が同じ色の美しい外観となる。そのため、写真や絵を支持するボードとしてだけでなく、ボードを組み合わせて動物などを形作ったオブジェなどの材料として用いることもできる。
【０００９】
また、紙製の面材の裏面が上記面材の表面および芯材と同じ色であれば、一方の面材を切り取ったような場合であっても、全体が同じ色の美しい外観となる。つまり、上記のように、波の山に沿う方向がボードの面方向に直交するように波状の部材が並べられてなる芯材を用いると、一方の面材のみを切り取った場合のようなときなど、加工の態様によっては、他方の面材の裏面が見えてしまい当該裏面が美観を低下させてしまうおそれがあるところ、当該裏面も当該同じ色で形成されているため、美しい外観が維持される。このように、本考案は、ボードの機械的強度を向上させるための芯材の構成（配置）による美観の低下を防止している点で優れる。
【図面の簡単な説明】
【００１０】
【図１】展示用紙製ボードの外観斜視図である。
【図２】展示用紙製ボードの使用例である。
【考案を実施するための形態】
【００１１】
本考案を図面を参照して詳細に説明する。図１に示した本考案の実施形態にかかる展示用紙製ボード１は、紙製の芯材１１に平板状の紙製の面材１２が積層されてなるものである。
【００１２】
芯材１１は、波状に形成された紙製の部材が複数並べられて構成されるものである。具体的には、波の山（谷）に沿う方向がボードの面方向に（略）直交するように、面方向に並べられた複数の波状の部材１１１を有する。このように波の山に沿う方向がボードの面方向に直交するようにすれば、ボードの面方向に直交する方向からの荷重に対する抗力が大きくなる。つまり、面方向が水平となるようにボードが設置された場合には、垂直抗力が大きいため、展示物を支持する部材として好ましいものとなる。また、波状の部材１１１同士の間にボードの面方向に直交する平板状の部材１１２が介在されたものとすればさらに好適である。
【００１３】
芯材１１を構成する紙製の材料（芯材１１を構成する材料の全部；本実施形態では波状の部材１１１と平板状の部材１１２の両方）は、その外観が白色である。
【００１４】
面材１２は、平板状の紙製の部材である。上記芯材１１は、二枚の面材１２の間に挟まれている。なお、この面材１２および上記芯材１１を構成する紙の材質は特定のものに限定されない。
【００１５】
面材１２の表面１２ｓ（ボード全体として見たときにおける厚み方向の一方側の面および他方側の面、すなわち外側の面をいう）が上記芯材１１と同じ白色である。さらに、本実施形態では、面材１２の裏面１２ｒ（表面１２ｓの反対側の面をいう）も上記芯材１１と同じ白色である。
【００１６】
このように二枚の面材１２の間に芯材１１が挟まれてなる展示用紙製ボード１は、図２に示すようにその端面（厚み方向に沿う面のこと。ボードが任意の形状に切断された場合、切断面が当該端面となる）から芯材１１が露出する。露出する芯材１１は、面材１２の表面１２ｓと同じ白色であるため、ボード全体が白一色で形成されたものとして見える。
【００１７】
なお、このようにボードが任意の形に切断される場合、ボードの切断面を覆うエッジカバー材を用いることがあるが、本実施形態ではボードの美的外観の観点から言えば、このようなエッジカバー材を用いる必要はない。
【００１８】
また、面材１２の裏面１２ｒも上記芯材１１と同じ白色であれば、例えば図２に示すようにボードを斜めに切断したような場合であっても、芯材１１の隙間から見える他方の面材１２の裏面１２ｒが白色であるため、ボード全体が白一色で形成されたものとして見える。
【００１９】
以上説明した本実施形態にかかる展示用紙製ボード１によれば次のような作用効果が奏される。
【００２０】
本実施形態にかかる展示用紙製ボード１は、紙製であるため軽量である。また、紙製であるため容易に任意の形状にすることができる。さらに、芯材１１は、波の山に沿う方向がボードの面方向に直交するように波状の部材１１１が並べられてなるものであるため、優れた機械的強度を有する。特に、面方向に直交する方向からの耐荷重性に優れる。
【００２１】
さらに、面材１２の表面１２ｓと芯材１１が同じ白色であるため、ボード端面（切断面）を含む全体の外観が同じ白色となる。つまり、ボードをどのような形状としても、全体が同じ白色の美しい外観となる。そのため、写真や絵を支持するボードとしてだけでなく、ボードを組み合わせて動物などを形作ったオブジェなどの材料として用いることもできる。
【００２２】
また、紙製の面材１２の裏面１２ｒが面材１２の表面１２ｓや芯材１１と同じ白色であれば、図２に示したボードを斜めに切断したような場合であっても、全体が同じ白色の美しい外観となる。
【００２３】
つまり、ボードの機械的強度を向上させるため、波の山に沿う方向がボードの面方向に直交するように波状の部材１１１が並べられてなる芯材１１を用いると、ボードを斜めに切断したり、一方の面材１２のみを切り取ったような場合には、当該波状の部材１１１同士の間から他方の面材１２の裏面１２ｒが見えてしまい当該裏面１２ｒが美観を低下させてしまうおそれがある。これに対し本実施形態では、当該裏面１２ｒも当該同じ白色で形成されているため、上記のような芯材１１を用いたとしても美しい外観が維持される。つまり、本実施形態にかかる展示用紙製ボード１は、機械的強度の確保を目的とした芯材１１の構成（配置）による美観の低下というデメリットのおそれを排除する点で優れるものである。
【００２４】
以上、本考案の実施形態について詳細に説明したが、本考案は上記実施形態に何ら限定されるものではなく、本考案の要旨を逸脱しない範囲で種々の改変が可能である。
【００２５】
例えば、上記実施形態では、紙製の芯材１１の全部、紙製の面材１２の表面１２ｓおよび裏面１２ｒが白色であることを説明したが、白色に限られるものではなく、これらが全て同じ色であれば、その色は用途等に応じて適宜変更可能である。ただし、白色とした場合には、ボード表面に文字や絵をプリントすること等が容易である、そのまま用いても綺麗である、といった利点がある。
【符号の説明】
【００２６】
１  展示用紙製ボード
１１  芯材
１１１  波状の部材
１２  面材
１２ｓ  面材の表面
１２ｒ  面材の裏面
【図１】
0003176085.tif 000003
【図２】
0003176085.tif 000004